Podtech/llm-jp-corpus-v4-ja_patent huggingface dataset:
(57)【要約】【課題】人の日常生活に、あらゆる形で関与している静電気は、大変なストレスであり、かつ危険でもある。従来の静電気除去または帯電防止アイテムは、高価・見栄えが良くない・うっかり持っていることを忘れたら効果がない等の問題があった。【解決手段】足首に巻く、または取付ける取付け部と、それに接続する接地部からなる帯電防止足首用ストラップを、日常生活において使用することにより、帯電防止に役立つ。【選択図】図８
2009070790.tif 000002
【特許請求の範囲】
【請求項１】
足首に巻く、または取付ける取付け部と、それに接続する接地部からなる帯電防止足首用ストラップ。
【発明の詳細な説明】
【技術分野】
【０００１】本発明は、一般的なストラップに帯電防止機能を付加した足首用ストラップに関する。
【背景技術】
【０００２】従来、一般的には、携帯電話用やキーホルダー用等のストラップがある。
【発明の開示】
【発明が解決しようとする課題】
【０００３】従来あるストラップは、足首、または靴及び履物を履いたときの靴または履物上端部分より上の足部分に巻くタイプはなかった。人の日常生活に於いて、静電気はあらゆる形で関与している。簡単な例では、ドアノブに触れたとき、車のドアを開けようとしたとき、人と握手しようとしたとき等に、指先にビリッとくる衝撃がそれであり、大変なストレスになっているし、また危険な場合もある。【０００４】従来、静電気除去キーホルダー等のアイテムがあるが、高価でしかも、ドア等に触れる前にうっかり使うことを忘れていたら、役に立たない。【０００５】静電靴というアイテムはあるが、業務用で高価かつ見栄えが良くない。【０００６】本発明は、このような問題を解決するものであり、身につけていることを忘れていても効果があり、安価で、ファッショナブルな、人体の帯電防止を実現することを目的とするものである。
【課題を解決するための手段】
【０００７】足首に巻く、または取付ける取付け部と、それに接続する接地部からなる帯電防止足首用ストラップを、日常生活において使用することにより問題を解決している。
【発明の効果】
【０００８】本発明は、上述のような解決手段をとったので、常に人体が大地と同電位にあるため、静電気が放電するときの不快な衝撃に悩まされない。
【発明の実施するための最良の形態】
【０００９】以下、本発明の実施の形態を図１から図８に基づいて説明する。
【００１０】図１において１は、足首への取付け部、２は接地部で、１と２はともに静電気を通しやすい材料を使用している。１と２の接続は、縫い付ける、マジックテープでとめる、ボタンでとめる、結ぶ、引っ掛ける、接着する等による。
【００１１】図１においては、本発明の概要を説明した。以下、図２から図７においては、取付け部１の違い例を説明する。
【００１２】図２において、取付け部１の先端部３が輪状になっている。接地部２の先端を先端部３に通すことにより、本発明を足首に巻いて使用する。
【００１３】図３において、取付け部１の先端部４の両端が牡牝のマジックテープになっている。このマジックテープにて、本発明を足首に取付けて使用する。
【００１４】図４において、取付け部１の先端部５の両端が凸凹のボタンになっている。このボタンにて、本発明を足首に取付けて使用する。
【００１５】図５において、取付け部１の先端部６の両端が凸凹のジョイントになっている。このジョイントにて、本発明を足首に取付けて使用する。
【００１６】図６において、取付け部１の先端部は少し長めになっている。本発明は、この少し長めになっている部分を足首に結び付けて使用する。
【００１７】図７において、１は伸縮性のある輪状になっている。この伸縮性の輪状部分を足首に通すことにより、本発明を足首に取付けて使用する。
【００１８】本発明の実施例は、上述の如き構成からなるものであるから、取付け部１を足首に巻く、または取付けて、接地部２を接地面に接地するようにして使用する。
【００１９】本発明は、接地部２が接地面に５〜１０ｍｍ程度、触れるように調整して使用するのが望ましい。
【図面の簡単な説明】
【００２０】
【図１】本発明の全体図。
【図２】１の先端が輪状になっている全体図。
【図３】１の先端が、マジックテープになっている全体図。
【図４】１の先端が、ボタンになっている全体図。
【図５】１の先端が、ジョイントになっている全体図。
【図６】１の先端が、紐を結ぶようになっている全体図。
【図７】１の先端が、伸縮性の輪状になっている全体図。
【図８】使用例の斜視図。
【符号の説明】
【００２１】１  取付け部
２  接地部
３  輪
４  マジックテープ
５  ボタン
６  ジョイント
７  足首
８  本発明
９  靴
【図１】
2009070790.tif 000003
【図２】
2009070790.tif 000004
【図３】
2009070790.tif 000005
【図４】
2009070790.tif 000006
【図５】
2009070790.tif 000007
【図６】
2009070790.tif 000008
【図７】
2009070790.tif 000009
【図８】
2009070790.tif 000010
(57)【要約】【課題】本発明の目的は、操作が簡単且つ確実で、ランプピンと受金の接触状態を確実に保持できる、ショーケースの棚板もしくは天井に取り付けるランプソケットを提供することにある。【解決手段】ボディー５は、棚板３もしくは天井形状に沿う形を成しており棚板３もしくは天井４に固定され、ボディー５から回転可能にランプ受け６が設けられ、ランプ受け６に回転止めの突き当て部７が設けられ、ランプ受けの先端にランプピン８の形状に合わせた溝９を設け、ボディー５内部に受金１０を設け、ボディー５とランプ受け６に互いを係止する係止爪１１を設け、係止を解除するボタン１２を設け、ランプピン８と受金１０はボディー５とランプ受け６を係止することにより電気的に接続される。【選択図】図３
2009070787.tif 000002
【特許請求の範囲】
【請求項１】
ショーケースの棚板もしくは天井に取り付けるランプソケットあって、ボディから回転運動により出没可能に設けられたランプ受けと、前記ランプ受けの回転動作との係止または係止解除を行なう係止爪操作機構と、前記ランプ受けを回転不能にする段と、を備えていることを特徴とするランプソケット。
【発明の詳細な説明】
【技術分野】
【０００１】本発明は、主にスーパーマーケット等の商店に設置されるショーケースの落下に対する安全性を向上させ、直管形ランプ着脱の操作性を向上させるランプソケットに関するものである。
【背景技術】
【０００２】従来のランプソケットは受金にランプピンを挿入し、挿入不足のときは接触不良となる危険性があった。【０００３】また、受金にランプピンを挿入するときに直管形ランプとランプソケットを持ち、受金の穴の位置を手探りで探しながら挿入する必要があり操作性に難点があった。【０００４】
【特許文献１】特開平９−１７３１９１号  公開特許公報
【発明の開示】
【発明が解決しようとする課題】
【０００５】本発明の目的は、操作が簡単且つ確実で、ランプピンと受金の接触状態を確実に保持できる、ショーケースの棚板もしくは天井に取り付けるランプソケットを提供することにある。
【課題を解決するための手段】
【０００６】上記の目的を達成する為、請求項１の発明に係るランプソケットは、ショーケースの棚板もしくは天井に取り付けるランプソケットであって、ボディから回転運動により出没可能に設けられたランプ受けと、前記ランプ受けの回転動作との係止または係止解除を行なう係止爪操作機構と、前記ランプ受けを回転不能にする突き当てと、を備えていることを特徴とする。【０００７】上記の構成により、ランプピンを受金に確実に係止される。また、受金の穴の位置を手探りで位置合わせをしながら挿入する必要なく操作できる。
【発明の効果】
【０００８】本発明によれば、直管形ランプをランプソケットに設置するとき、ランプピンを受金に確実に接触させるようになるため安全性が向上する。また、受金の穴の位置を手探りで探しながら挿入する必要がなくなる。
【発明を実施するための最良の形態】
【０００９】本発明の課題は、ランプ受けの回転動作と、係止解除を行なう係止爪操作機構と、前記ランプ受けを回転不能にする突き当てと、を備えたことで実現した。
【実施例１】
【００１０】図面を参照しながら実施例を詳しく説明する。図１はランプソケットの斜視図、図２はランプソケットの底面図、図３はランプソケットの正面図である。【００１１】ランプソケット１は、ショーケース２に固定された棚板３もしくは天井４に取り付けられるボディー５、ボディー５から外方へ突出して回転するランプ受け６、ランプ受け６の回転を防ぐ突き当て部７、ボディー５とランプ受け６の係止機構及び係止解除機構によって構成されている。【００１２】図Ｘから図Ｘを参照しながら各部を詳しく説明する。
ボディー５は、棚板３もしくは天井４形状に沿う形を成しており棚板３もしくは天井４に固定され、ボディー５から回転可能にランプ受け６が設けられ、ランプ受け６に回転止めの突き当て部７が設けられ、ランプ受け６の先端にランプピン８の形状に合わせた溝部９を設け、ボディー５内部に受金１０を設け、ボディー５とランプ受け６に互いを係止する係止爪１１を設け、係止を解除するボタン１２を設け、係止爪１１とボタン１２は一体化されると同時に弾性体１３によって付勢され、ランプピン８と受金１０はボディー５とランプ受け６を係止することにより電気的に接続される。【００１３】次に本実施例の作用を、図Ｘに示す直管形ランプ取付状態、及び図Ｘに示すランプピン接続状態を参照しながら説明する。直管形ランプ１４両端のランプピン８に接続するためランプソケット１ａとランプソケット１ｂは一対で左右対称形の成しており、棚板３もしくは天井４の両端付近に直管形ランプ１４の長さに応じて間隔をあけて固定される。直管形ランプ１４の両端のランプピン８はランプ受け６先端の溝９に収まり、ランプ受け６は突き当て部７によりその回転が抑えられ、ランプ受け６に固定される。【００１４】直管形ランプ１４がランプ受け６に固定された状態でランプ受け６を上方へと押し上げるとランプ受け６が回転しながらボディー５と係止爪１１により係止し、同時にランプピン８と受金１０が電気的に接続される。ボタン１２を押すとボディー５とランプ受け６の係止が解除され、ランプ受け６が下がり突き当て部７に当たって止まり、ランプピン８と受金１０の接触が解除され、同時に直管形ランプ１４がランプ受け６から取り外せるようになる。
【図面の簡単な説明】
【００１５】
【図１】ショーケースの斜視図である。
【図２】棚板両端付近に固定されたランプソケットにランプを装着した状態図である。
【図３】ランプソケットの斜視図である。
【図４】ランプソケットの右側面図である。
【図５】ランプソケットの正面図である。
【図６】ランプソケットの左側面図である。
【図７】ランプソケットの内部を表した斜視図である。
【図８】ランプ受けの溝に固定された状態の斜視図である。
【図９】ランプが装着された状態の斜視図である。
【図１０】従来のランプソケットの斜視図である。
【符号の説明】
【００１６】１    ランプソケット
１ａ  右側ランプソケット
１ｂ  左側ランプソケット
２    ショーケース
３    棚板
４    天井
５    ボディー
６    ランプ受け
７    突き当て
８    ランプピン
９    溝部
１０  受金
１１  係止爪
１２  ボタン
１３  弾性体
１４  直管形ランプ
【図１】
2009070787.tif 000003
【図２】
2009070787.tif 000004
【図３】
2009070787.tif 000005
【図４】
2009070787.tif 000006
【図５】
2009070787.tif 000007
【図６】
2009070787.tif 000008
【図７】
2009070787.tif 000009
【図８】
2009070787.tif 000010
【図９】
2009070787.tif 000011
【図１０】
2009070787.tif 000012
(57)【要約】【課題】過電流検出抵抗をヒューズ素子が兼ねることにより過電流検出抵抗およびその信号を基板へ入力するためのリード線を削減し、低コストの電池パックを提供すること。【解決手段】電池セルと、電池セルと外部機器とを接続するものであって、外部機器との間で電流経路を形成する端子部と、電流経路上に配されるヒューズと、ヒューズの両端電圧を検出する電圧検出手段と、電圧検出手段が検出した検出電圧に基づいて電流経路上の過電流を検出する過電流検出手段とを備えた。【選択図】図1
2009291045.tif 000002
【特許請求の範囲】
【請求項１】
電池セルと、
前記電池セルと外部機器とを接続するものであって、前記外部機器との間で電流経路を形成する端子部と、
前記電流経路上に配されるヒューズと、
前記ヒューズの両端電圧を検出する電圧検出手段と、
前記電圧検出手段が検出した検出電圧に基づいて電流経路上の過電流を検出する過電流検出手段と、を備えたことを特徴とする電池パック。
【請求項２】
前記過電流検出手段は、
前記電流経路上に配置される前記電流遮断素子に対して信号出力可能に構成されており、前記過電流を検出したときには前記電流遮断素子をオフするための信号を出力することを特徴とする請求項１に記載の電池パック。
【請求項３】
前記電流遮断素子を内部に備えることを特徴とする請求項２に記載の電池パック。
【発明の詳細な説明】
【技術分野】
【０００１】
本発明は、電動工具等に用いられる電池パックに関するものである。
【背景技術】
【０００２】
図３に示すように、従来の電池パック１１は電池セル群電池１６と回路基板１２および過電流検出抵抗１５で構成され、過電流検出抵抗１５の両端はリード線で回路基板１２と接続されている。回路基板１２には電池パック１１に短絡電流等の過大な電流が発生した際に溶断するヒューズ素子１３および電動工具１７使用時のある規定値を超える過電流を検出する過電流検出回路１４が設けられている。
【０００３】
【特許文献１】特開平１１−２０６０２５号公報
【発明の開示】
【発明が解決しようとする課題】
【０００４】
しかし、従来の電池パックでは、回路基板と過電流検出抵抗が離間した位置にあるため、構造が複雑となり、部品点数が増加していた。このため、電池パックが高価になり、ひいては電池パックを備える電動工具も高価となっていた。
【０００５】
本発明は、上記事情に鑑みてなされたものであって、その目的は、構造を単純にすることができ、安価に製造可能な電池パック及び電池パックを備えた電動工具を提供することを目的とする。
【課題を解決するための手段】
【０００６】
上記目的を達成するために請求項１の発明では、電池セルと、電池セルと外部機器とを接続するものであって、外部機器との間で電流経路を形成する端子部と、電流経路上に配されるヒューズと、ヒューズの両端電圧を検出する電圧検出手段と、電圧検出手段が検出した検出電圧に基づいて電流経路上の過電流を検出する過電流検出手段と、を備えたことを特徴としている。
【０００７】
請求項２の発明では、過電流検出手段は、電流経路上に配置される電流遮断素子に対して信号出力可能に構成されており、過電流を検出したときには電流遮断素子をオフするための信号を出力することを特徴としている。
【０００８】
請求項３の発明では、電流遮断素子を内部に備えることを特徴としている。
【発明の効果】
【０００９】
本発明の請求項１記載の電池パックによれば、ヒューズ素子にて電流を検出することで過電流検出抵抗を削減し、さらにはその周辺のリード線等の部品を削減できる。また、電池パックの短絡時等、ヒューズ素子の定格を超える過大な短絡電流が発生した場合はヒューズ素子自体が溶断し、電池パックの発煙・焼損を防ぐことができる。
【００１０】
また、請求項２記載の電池パックによれば、過大な電流が発生した際、ヒューズ素子の溶断以前に電流遮断素子を開放し、電池パックの発煙・焼損を防ぎ、ヒューズ素子が溶断していないので短絡状態を解消することにより再び電池パックを使用することができる。
【００１１】
また、請求項３の発明では、電流遮断素子を電池パック内部へ設けることにより、電池パック単体の短絡等の過大な電流が発生した場合であっても、電池パックの発煙・焼損を防ぎ、ヒューズ素子が溶断していないので短絡状態を解消することにより再び電池パックを使用することができる。
【発明を実施するための最良の形態】
【００１２】
本発明の実施の形態による電池パックについて図１に基づき説明する。図１に示されるように、電池パック１は、電池セル群６と回路基板２で構成されている。回路基板２はヒューズ素子３と過電流検出回路４を有している。
【００１３】
電動工具７使用時において、ヒューズ素子３両端に発生する電圧信号が過電流検出回路４に入力され、過電流検出回路４にてある規定値を超える過電流を検出した場合、過電流検出信号を出力し、電動工具７に設けられた電流遮断素子８を開放状態にし、電池パック１および電動工具7の焼損等の破損を防ぐことができる。
【００１４】
電池パック1単体で端子間短絡等が発生し、ヒューズ素子３の定格を超える電流が流れた場合、ヒューズ素子３が溶断して電池の発火・発煙を防止することができる。
【００１５】
電動工具7もしくは電池パック1内の回路基板2に設けられた電流遮断素子８を開放状態にし、電池パック１および電動工具7の焼損等の破損を防ぐことができる。
【００１６】
電池パック1単体で端子間短絡が発生し、ヒューズ素子３の定格を超える電流が流れた場合、ヒューズ素子が溶断し、電池の発火・発煙を防止することができる。
【００１７】
また、図２の電池パックによれば、電流遮断素子８を電池パック１の内部へ設けることにより、電池パック１単体での短絡等の過大な電流が発生した際、ヒューズ素子３の溶断以前に電流遮断素子８を開放し、電池パックの発煙・焼損を防ぎ、ヒューズ素子３が溶断していないので短絡状態を解消することにより再び電池パック１を使用することができる。
【００１８】
電流遮断素子８が故障し、ヒューズ素子３の定格を超える電流が流れた場合、ヒューズ素子３が溶断して電池の発火・発煙を防止することができる。
【図面の簡単な説明】
【００１９】
【図１】本発明の実施形態を示すブロック図。
【図２】本発明の実施形態を示すブロック図。
【図３】従来例の電池パックを示すブロック図。
【符号の説明】
【００２０】
１…電池セル
２…回路基板
３…ヒューズ素子
４…過電流検出回路
５…過電流検出抵抗
６…電池セル群
７…電動工具
８…電流遮断素子
【図１】
2009291045.tif 000003
【図２】
2009291045.tif 000004
【図３】
2009291045.tif 000005
(57)【要約】 【課題】    従来の曲折のない掬い網枠は、使用時に枠を螺着した柄が、平面に対し掬い網全面が着接出来ず体高が低い獲物を捕獲しにくく、また従来の曲折のない掬い網枠は展開しての使用時に於いて、水中で獲物等を掬う際に、柄に螺着した枠の根元が撓曲することがある、という問題点があった。【解決手段】      本発明は上述したように枠を平面に対し押圧する場合に於いても掬い網全面を着接でき、螺着された柄は枠が着接している面に対し触接していないために枠を十分に押圧できることで、体高が低い獲物も捕獲できるようになり、また柄に螺着する枠を根元付近から左右共に一旦上方に斜倒させてすぐに、柄に対して平行になるように再度枠を曲折させたことにより、展開しての使用時に於いて水中で獲物等を掬う際に水の抵抗を受け柄に螺着した枠の根元が撓曲しにくくなった。【選択図】  図１
2009291106.tif 000002
【特許請求の範囲】
【請求項１】
枠を根元付近から左右共に一旦上方に斜倒させてすぐに、柄に対して平行になるように再度枠を曲折させたことにより、枠を平面に対し押圧する場合に於いて掬い網の枠全面を着接でき、水中で獲物等を掬う際に柄に螺着した枠の根元が撓曲しにくくなった掬い網用三つ折枠。
【発明の詳細な説明】
【技術分野】
【０００１】
本発明は掬い網用柄に対し、着脱自在の折り畳み式ベース型掬い網用枠に関するものである。
【背景技術】
【０００２】
従来の折り畳み式掬い網枠は、殆どが収納時に四つ折りに出来る曲折のない円形枠であり、一部に収納時に三つ折りに出来るベース型のものもあった。
【発明の開示】
【発明が解決しようとする課題】
【０００３】
以上に述べた従来の曲折のない掬い網枠は、使用時に枠を螺着した柄が、枠を平面に対し押圧する場合において突起物となり、平面に対し掬い網全面が着接出来ず体高が低い獲物を捕獲できないことがある、という問題点があった。
【０００４】
また、従来の曲折のない掬い網枠は展開しての使用時に於いて、水中で獲物等を掬う際に水の抵抗を受け、柄に螺着した枠の根元が撓曲することがある、という問題点があった。
【課題を解決するための手段】
【０００５】
そして、本発明は上記目的を達成するために、柄に螺着する枠を根元付近から左右共に一旦上方に斜倒させてすぐに、柄に対して平行になるように再度枠を曲折させたものであり、枠を平面に対し押圧する場合に於いても掬い網全面を着接でき、柄は枠が着接している面に対し触接せずに平行であるタモ枠である。
【発明の効果】
【０００６】
本発明は上述したように枠を平面に対し押圧する場合に於いても掬い網全面を着接でき、螺着された柄は枠が着接している面に対し触接していないために枠を十分に押圧できることで、体高が低い獲物も捕獲できるようになった。
【０００７】
柄に螺着する枠を根元付近から左右共に一旦上方に斜倒させてすぐに、柄に対して平行になるように再度枠を曲折させたことにより、展開しての使用時に於いて水中で獲物等を掬う際に水の抵抗を受け柄に螺着した枠の根元が撓曲しにくくなった。
【発明を実施するための最良の形態】
【０００８】
以下、本発明の実施の形態を図１に基づいて説明する。
【０００９】
図においては、雄ネジを螺刻したボルトを接合した根元１及び２から、左右共に一旦上方に斜倒させてすぐに３及び４の位置で柄に対して平行になるように折曲させ、形状が野球におけるホームベース型になるように成形して、５及び６の位置に於いて柄に対して平行の方向に折り畳めるタモ枠である
【図面の簡単な説明】
【００１０】
【図１】本発明の使用時の全体斜視図である。
【符号の説明】
【００１１】
１及び２、最初の曲折点    ３及び４、次の曲折点    
５及び６、折り畳み点  
【図１】
2009291106.tif 000003
(57)【要約】【課題】  従来の釣り竿で一般的に使用されているガイドは完全な輪になっている状態である。これでは、釣り糸を一つ一つの穴に通さなければならず、時間と手間がかかっていた。【解決手段】  本ガイドは切れ込みがあるので一つ一つの穴を通す事なく、その切れ込みに釣り糸をはめ込んでひねるだけで、時間的にも早くしかも手間も掛けずに簡単にセットできる。【選択図】図３
2009291178.tif 000002
【特許請求の範囲】
【請求項１】
釣り竿に配置してある現在のガイドは、完全な輪の状態になっているが、このガイド一個に付き、一カ所斜めに切れ込みを入れることによって輪の部分が互い違いになる。斜めに切れ込みを入れた部分に釣り糸を入れ９０度ねじれば、切れ込みと釣り糸が直角になり、簡単にセットできて釣り糸が外れないようにしたガイド。
【発明の詳細な説明】
【技術分野】
【０００１】  本発明は釣り竿に関する。
【背景技術】
【０００２】  従来の釣り竿は、釣り糸ガイドの部分が完全な輪の状態になっていた。
【発明の開示】
【発明が解決しようとする課題】
【０００３】  以上に述べたように従来の釣り糸ガイドは輪になったガイドを使用しているので、釣  り糸をセットするのに時間と手間がかかっていた。
【課題を解決するための手段】
【０００４】  本発明は上記目的を達成するために、ガイドを完全な輪にしないで斜めに切れ込みを  入れることにより初期の目的を達成できるものである。
【発明の効果】
【０００５】    上述したように釣り糸をガイドの穴一つ一つ通すことなく切れ込みに入れるだけで簡  単にセットできる。
【発明を実施するための最良の形態】
【０００６】  以下、本発明の実施の形態を図１〜図４に基づいて説明する。【０００７】  図において１は釣り竿の柄、２は竿本体、３はリ−ル本体、４は釣り糸５はガイド、６は切れ込み、７は先端部である。【０００８】  以下、上記構成の説明をする。３のリ−ル本体に巻かれている釣り糸は５のガイドを通して先端までのばしていくが、この時ガイドに切れ込みがあるので従来の穴を通すより切れ込みに入れるだけで簡単にセットできる。【０００９】  尚、先端部分には切れ込みを入れると、竿を左右に回したりしたとき外れるおそれがあるので、先端（竿先）の一個は輪の状態である。
【図面の簡単な説明】
【００１０】
【図１】  釣り竿の全体図
【図２】  ガイドの平面図
【図３】  ガイドの側面図
【図４】  ガイドの側面図
【符号の説明】
【００１１】  １  柄
２  竿
３  リ−ル
４  釣り糸
５  ガイド
６  切れ込み
７  先端部
【図１】
2009291178.tif 000003
【図２】
2009291178.tif 000004
【図３】
2009291178.tif 000005
【図４】
2009291178.tif 000006
(57)【要約】【課題】薬剤塗布・粘着剤塗布された捕虫用テープ・カードは抵抗性害虫の発生・作業性の低下で問題であった。また静電気誘導タイプの捕虫器も存在するが、設備設置タイプで使用困難であった。【解決手段】小型軽量の着色又は着色と匂いを付加したテープ・カードに静電気を発生するために電気導線をテープ又はカードに取付け電圧を加印し静電気を発生し、微小害虫を捕虫することで、環境に優しく安全に活用可能な捕虫器である。【選択図】図４
2009291172.tif 000002
【特許請求の範囲】
【請求項１】
非導電体のテープ又はシート内部に少なくとも2本以上の導線を配した微小害虫の誘引部を有する捕虫部に、超高周波高電圧を印加して、静電気を生じさせ微小害虫を付着補虫する捕虫器。
【請求項２】
前記誘引部が微小害虫が特異的に好む色、匂い又は光であることを特徴とする請求項1に記載の捕虫器。
【発明の詳細な説明】
【技術分野】
【０００１】
本発明は、虫を捕獲する器機及び方法に関するものである。
【背景技術】
【０００２】
従来の害虫補虫は薬剤を使用したり、テープ又はシートに薬剤塗布・粘着塗布されたものを生産物の近くに設置し、害虫を補足する物であった。その薬剤を使用され続けられたために、薬剤に対する抵抗性を持った昆虫が発生し、そのため害虫の捕虫効果が減少して来た。
特に捕虫テープは薬剤に対する抵抗性を持った微小昆虫（ウイルスを媒介するコナジラミ）が近年発生し、捕虫効力がなく生産物の収穫がなくなってきている。そして粘着タイプのテープは作業性が悪い点が問題である。
【０００３】
近年、電気誘導を活用した静電気発生装置が広く知られている。（特許文献１）しかし装置が大型で作物の近くでは活用困難である。そして既存の設備に取り付けるには大掛かりな工事を必要としている。
【特許文献１】特開２００６−２５５６９０
【発明の開示】
【発明が解決しようとする課題】
【０００４】
上記の技術では、作物の近く（２０cm以内の側）に、設置することが物理的に困難であったが、本発明は軽量・小型・取扱いが簡単な捕虫器を提供することを課題とする。
【課題を解決するための手段】
【０００５】
電気誘導を活用した静電気発生装置である超高周波高電圧式捕虫器を提供する。
すなわち、以下の発明を包含する。
（１）非導電体のテープ又はシート内部に少なくとも2本以上の導線を配した微小害虫の誘引部を有する捕虫部に、超高周波高電圧を印加して、静電気を生じさせ微小害虫を付着補虫する捕虫器。
（２）前記誘引部が微小害虫が特異的に好む色、匂い又は光であることを特徴とする（１）に記載の捕虫器。
【発明の効果】
【０００６】
捕虫中は超高周波高電圧を活用するもので安全且つ電気の使用量も少量であり安価である。また、環境に優しく、軽く・移動が簡単である。
【発明を実施するための最良の形態】
【０００７】
本発明における非導線体は、ビニール、アクリル、紙、布等非導体であれば何でも良く、限定されない。
【０００８】
本発明における導線は、アルミ、鉄、ステン、銅、金、銀等導体であれば何でも良く、限定されない。また、本発明は高電圧であっても、電流は微弱であり、使用する導線は細くてよい。電気抵抗の少ない材質が効果的である。
【０００９】
本発明における電源は、太陽電気をバッテリーに充電して活用することも可能である。
【００１０】
高電圧発生器は高周波高電圧発生装置で、超小型で、軽量であり、テープ又はシートと一体化、又はセパレートとしその場合は接続して使用するが、軽量のため移動が簡単である。
【００１１】
本発明は、薬剤を使用しない捕虫方法のため、昆虫に抵抗性がつかない。このため、虫の捕虫効果を減少することなく継続可能であり、また捕虫器の維持管理費用が従来品に比較して安価である。
【００１２】
本発明品には、捕虫の効果を高めるために、微小害虫を誘引する色・匂い或いは光を組み込むことができる。各種の微小害虫が特異的に好む色・匂い或いは光を非導線体に使用し、効果的に捕虫することができる。
【００１３】
また、本発明品は、人センサーを活用することで安全性を高める効果をもった捕虫器を作ることが可能である。
【００１４】
次に、本発明を具体化した実態形態を、図面に基づいて説明する。
図１は捕虫器全体図  図2はテープ式捕虫部、図3はカード式捕虫部図である。テープの断面は各種あるが今回は平面型を使用した。
【００１５】
図1は捕虫器の全体図で、太陽電池発電１  誘引灯４  静電式捕虫部３  静電気発生部２で構成されている捕虫器。
誘引灯、太陽電池発電を使用しない場合も有る。
【００１６】
図2は静電式テープ捕虫部である。７は絶縁体である。絶縁体であればなんでもよい。５と６は電気の導線である。５が＋極の導線の場合、６は−極に接続する導線である。＋極と−極は交互にする。
【００１７】
図３は前項のカードタイプの静電式捕虫部の図である。
【００１８】
図４は捕虫器の使用実態図である。
【図面の簡単な説明】
【００１９】
【図１】本発明にかかる静電式捕虫器。
【図２】静電式テープ捕虫部。
【図３】静電式カード捕虫部。
【図４】捕虫器の使用実態図。
【符号の説明】
【００２０】
１  太陽発電器
２  静電気発生器
３  静電式捕虫部
４  誘引灯
５  電気導線
６  電気導線
７  絶縁体
８  生産物
９  土壌部
【図１】
2009291172.tif 000003
【図２】
2009291172.tif 000004
【図３】
2009291172.tif 000005
【図４】
2009291172.tif 000006
(57)【要約】【課題】    本発明は、ペットが散歩時に排泄した糞を、従来のように紙やポリ袋などを被せて直接手で掴んで収拾する方法ではなく、さらに容易に収拾することができ、かつ、糞と共にその都度廃棄される紙やポリ袋など、ゴミの総量を極力少なく抑えることを目的としている。【解決手段】  本発明は、底辺が平らで、上部に丸みを施した擬三角形状の容器１を二枚貝のように相対的に接合し、該容器上部に取手２を一体に設ける。さらに、該容器１の片側の胴に中指や薬指を固定する伸縮バンド５を設け、対向側の胴の底辺の縁には糞の付着面を覆い隠すためのカバー３を揺動可能な形態で設ける。該カバー３には、容器１の開閉時に親指を引っ掛けるための親指掛穴４を穿設する。以上のように構成された該容器１内には、糞の付着に伴いその都度廃棄する内紙８を着脱容易な形態で設ける。【選択図】図１
2009291183.tif 000002
【特許請求の範囲】
【請求項１】
二枚貝のように上部を相対的に接合した、底辺が平らで胴部に丸みを施した擬三角形状または底辺が平らな上方円形状の容器と、該容器の上部に取手と、該容器の片側の胴に中指や薬指を固定する伸縮バンドと、後記カバーを止めるためのカバー差込口と、対向側底辺の縁に糞が付着する面を覆い隠すためのカバーを揺動可能な形態で設けたことと、該カバーには、容器の開閉時に親指を引っ掛けるための親指掛け穴を穿設したことからなるペットの糞収拾器。
【請求項２】
前述の容器内には、糞を覆い包み、糞とともにその都度廃棄する内紙を、容易に着脱が可能な形態で設けたことを特徴とする請求項１のペットの糞収拾器。
【発明の詳細な説明】
【技術分野】
【０００１】  本発明は、ペットの散歩用具に係わり、散歩中などに排泄されたペットの糞を拾い取るための、ペットの糞収拾器に関するものである。
【背景技術】
【０００２】  従来は、新聞紙やチラシ、また、紙とポリ袋をセットにした専用の袋を被せ、直接手で掴み取って収拾する方法が大勢である。しかし、該方法を面倒に思ったり嫌う人が多く、そのまま放置されていることが少なくないのが現状であり、環境または衛生上、さらにモラル上の観点からも好ましくなく、また、ペットの糞と共に多くの資源をゴミとして廃棄してしまう結果となっているのが現実であり、環境・衛生・モラル面および資源保護の観点からも問題であった。
【発明の開示】
【発明が解決しようとする課題】
【０００３】  本発明は、このような従来のペットの糞の処理方法に鑑みてなされたもので、容易にペットの糞を収拾することができ、かつ、糞のみをトイレに流して処理し、廃棄される資源およびゴミの総量を最小限に抑えることができるペットの糞収拾器を提供することを目的としている。
【課題を解決するための手段】
【０００４】  本発明のペットの糞収拾器は、開閉自在な二枚貝のように、上部を相対的に接合した底辺が平らな擬三角形状容器と、該容器の上部に取手と、該容器の片側の胴に中指や薬指を固定する伸縮バンドを設け、対向側の胴の底辺の縁には糞の付着面を覆い隠すためのカバーを設ける。該カバーには容器の開閉時に親指を引っ掛けるための親指掛け穴を穿設する。さらに、該容器内には糞を覆い包む内紙を着脱可能な形態で設けることからなる。
【発明の効果】
【０００５】  前述のように構成されたペットの糞収拾器によれば、ペットの糞を紙やポリ袋を被せて直接手で掴み取ることなく、容易に収拾処理することができ、かつ、ゴミの軽減化および資源保護を計ることができる。
【発明を実施するための最良の形態】
【０００６】  本発明の目的を達成するために、ペットの糞を拾い取るための収拾器と、該収拾器に糞が付かないように糞を覆い包む内紙を備えたペットの糞収拾器の実施の形態を、添付した図面を参照して説明する。
【実施例１】
【０００７】  図１に示すように、開閉が自在になるように上部を相対的に接合した、底辺が平らな擬三角形状の容器１を設け、該容器１の上部に取手２を設ける。該容器１の片側の底辺の縁には図３に示すように、親指掛穴４と内紙止め穴７を設けたカバー３を揺動可能な形態に設ける。さらに、対向側の側面には内紙止め穴７を複数、胴部にはカバー差込口６、図６に示す伸縮バンド５を設けて構成される。
【実施例２】
【０００８】  図４に示すように、内紙８には、収拾時にペットの糞が容器１の左右の縁に付かないように、大耳９、小耳１０を左右に設け、さらに、容器１に内紙８を固定するための爪１１を複数設ける。
【実施例３】
【０００９】  図５に示すように、容器１を図３のように広げ、内紙８を該容器１の中に入れ、底辺部、大耳９、小耳１０を容器１に折り被せるとともに、爪１１を容器１に穿設した内紙止め穴７に掛けて容器１に内紙８を固定し、図６に示すようにカバー３をカバー差込口６に差し込んで本発明のペットの糞収拾器となる。
【実施例４】
【００１０】  前述のように構成されたペットの糞収拾器を使用する場合は、図１に示すように、中指や薬指を取手２と伸縮バンド５に通して固定し、カバー３をカバー差込口６から外して対向側の親指側に折り返し、親指を親指掛け穴４に引っ掛けて開く。
【実施例５】
【００１１】  前述のように開いたペットの糞収拾器をペットの糞に上方から被せ、図２に示すように閉じて収拾し、カバー３を親指から外して元のカバー差込口６に差し込んでペットの糞を持ち帰る。収拾の際、内紙８の底辺部に付着した糞は図６に示すようにカバー３をカバー差込口６側に折り返すことで覆い隠せるので、持ち帰る際にペットの糞で衣服などを汚すことはない。
【産業上の利用可能性】
【００１２】  従来からペットの糞の処理には多くの問題点を抱えており、ペットの排泄した糞の処理は飼い主の責任であるにもかかわらず、拾うときの感触を嫌ったり、拾い取った後の処理が面倒であることから、そのまま放置する人が後を絶たないのが現状である。そこで本発明のペットの糞収拾器によれば、容易にペットの糞を収拾でき、かつ、容易にトイレに流して処理することができる。さらに、その都度廃棄される紙やポリ袋などのゴミの総量が少なく、ゴミの削減や省資源が叫ばれる昨今の社会情勢に対応できるものである。
【図面の簡単な説明】
【００１３】
【図１】本発明の使用時においての開口状態の実施例を示す側面図。
【図２】本発明の使用時においての閉口状態の実施例を示す側面図。
【図３】本発明の容器を広げた状態を示す斜視図。
【図４】本発明の内紙の展開斜視図。
【図５】本発明の容器と内紙の組み合わせ方を示す斜視図。
【図６】本発明の完成形および携行時の形態を示す斜視図。
【符号の説明】
【００１４】１    容器
２    取手
３    カバー
４    親指掛け穴
５    伸縮バンド
６    カバー差込口
７    内紙止め穴
８    内紙
９    大耳
１０  小耳
１１  爪
【図１】
2009291183.tif 000003
【図２】
2009291183.tif 000004
【図３】
2009291183.tif 000005
【図４】
2009291183.tif 000006
【図５】
2009291183.tif 000007
【図６】
2009291183.tif 000008
(57)【要約】      （修正有）【課題】タバコを箱から取り出し火を点け煙を吸う、と言う動作と満足の習慣性依存をカバーでき、また、吸引時の物質感・満足感のある禁煙タバコを実現する。【解決手段】２部分に着火すると同時に１の吸い口部８を吸う。２部分は着火により破れ、３部を空気が流れ陰圧をつくる。そして、４に入っている溶液が、５の管を通り、霧状になり吸引できる（霧吹きの理論）。５は４内部に含まれる溶液が蒸発しにくい様またこぼれない様に細く長い必要がある。そして空気抜きの６も同様の理由で細く長い必要がある。【選択図】図１
2009291182.tif 000002
【特許請求の範囲】
【請求項１】
着火動作をして着火することにより従来のタバコの煙を吸うタイミングで内部の溶液を霧状で吸引できる禁煙タバコ。着火動作を伴わなくても吸引できる構造も可能。
【発明の詳細な説明】
【技術分野】
【０００１】  本発明は、本来のタバコを吸う着火・吸引動作により内蔵された溶液を霧状で吸引できる様にした禁煙タバコに関する。
【背景技術】
【０００２】  従来の禁煙タバコ・パイプは本来のタバコを吸うときの着火動作を行なわなくてもエアロゾルの吸引が行なえる。しかし、これではタバコの習慣性による依存の部分をカバーできていない。【０００３】  従来の禁煙タバコ・パイプは本来のタバコの煙を吸引する時の物質感が無い。
【発明の開示】
【発明が解決しようとする課題】
【０００４】  従来の禁煙タバコは、本来のタバコをやめようとする人の、ニコチン中毒以外のタバコを箱から取り出し火を点け煙を吸う。と言う動作と満足の習慣性依存を補えない。そこで、この習慣性依存をカバーでき、また、吸引時の物質感・満足感のある禁煙タバコを実現することを目的とするものである。
【課題を解決するための手段】
【０００５】  本発明は上記目的を達成するために図１の２部分に着火すると同時に１の吸い口部８を吸う。２は着火により破れ、３部を空気が流れ陰圧をつくる。そして４に入っている溶液が５の管を通り霧状になり吸引できる（霧吹きの理論）。【０００６】  図１の５は４内部に含まれる溶液が蒸発しにくい様またこぼれない様に細く長い必要がある。そして空気抜きの６も同様の理由で細く長い必要がある。【０００７】  ７は霧状になって吸い込まれた後の余分な溶液を吸着させ液漏れを防ぐための吸着材。【０００８】  本禁煙タバコは本来のタバコと外見が似ていた方がより良いと思われるので、サイズは本来のタバコと同程度が望ましい。【０００９】  図１の２は着火して破れる又は燃える素材で有毒ガスなどを発生しないものが望ましい。
【発明の効果】
【００１０】  ０００４の目的を達成するために適量本数をパッケージに入れて使用者に届けることは有効手段だと思う。
【図面の簡単な説明】
【００１１】
【図１】  本発明の実施形態を示す禁煙タバコの断面図
【図２】  吸い口方向から見た図
【図１】
2009291182.tif 000003
【図２】
2009291182.tif 000004
(57)【要約】【課題】アンセリンは、マグロ、カツオ等の回遊魚の筋肉に多く含まれるアラニンとヒスチジンからなるジペプチドである。アンセリンは、尿酸値抑制作用等を有することが知られている。しかしながら、市販されているアンセリンやこれを含有するペプチドは、魚類を原料としていることから、魚臭や畜肉臭等の不快臭が感じられ、消費者の嗜好にそぐわず、改善が求められていた。【解決手段】水を溶媒とし、該溶媒１０００ｍｌあたりイソフムロン類を５ｍｇ〜６０ｍｇおよびアンセリンを１０ｍｇ〜１０ｇの割合で含有してなる飲料組成物。【選択図】なし【特許請求の範囲】
【請求項１】
水を溶媒とし、該溶媒１０００ｍｌあたりイソフムロン類を５ｍｇ〜６０ｍｇおよびアンセリンを１０ｍｇ〜１０ｇの割合で含有してなる飲料組成物。
【発明の詳細な説明】
【技術分野】
【０００１】
本発明は、飲料組成物に関する。
【背景技術】
【０００２】
アンセリンは、マグロ、カツオ等の回遊魚の筋肉に多く含まれるアラニンとヒスチジンからなるジペプチドである。アンセリンは、尿酸値抑制作用等を有することが知られている。
しかしながら、市販されているアンセリンやこれを含有するペプチドは、魚類を原料としていることから、魚臭や畜肉臭等の不快臭が感じられ、消費者の嗜好にそぐわず、改善が求められていた。
【０００３】
上記課題を解決するため、例えば特許文献１には、アンセリン含有ペプチドと、以下の（ａ）〜（ｅ）、
（ａ）茶葉の不発酵物、半発酵物または発酵物
（ｂ）茶葉の不発酵物の焙煎物
（ｃ）ハト麦、玄米および大麦からなる群から選ばれる穀物の焙煎物
（ｄ）ドクダミまたはクマザサの乾燥物
（ｅ）ゴマ、ソバ、ダイズおよびケツメイシからなる群から選ばれる種子の焙煎物
からなる群から選ばれる植物の加工物の抽出物および香料の少なくとも１種とを配合することを特徴とする飲料が開示されている。
【先行技術文献】
【特許文献】
【０００４】
【特許文献１】特開２００９−１１２３０２号公報
【発明の概要】
【発明が解決しようとする課題】
【０００５】
本発明の目的は、アンセリンまたはこれを含有するペプチドを含む飲料組成物における魚臭および畜肉臭等の不快臭を改善し、風味を大幅に良化した飲料組成物の提供にある。
【課題を解決するための手段】
【０００６】
本発明は、水を溶媒とし、該溶媒１０００ｍｌあたりイソフムロン類を５ｍｇ〜６０ｍｇおよびアンセリンを１０ｍｇ〜１０ｇの割合で含有してなる飲料組成物を提供するものである。
【発明の効果】
【０００７】
本発明によれば、アンセリンまたはこれを含有するペプチドを含む飲料組成物における魚臭および畜肉臭等の不快臭を改善（マスキング）し、風味を大幅に良化した飲料組成物が提供される。
【発明を実施するための形態】
【０００８】
以下、本発明をさらに詳しく説明する。
本発明に使用されるイソフムロン類は、公知の化合物であり、イソフムロン、イソアドフムロン、イソコフムロンおよびこれらの組み合わせ等を挙げることができる。またイソフムロン類は、市販されているものを利用することができる。さらにイソフムロン類は、公知の方法に従って製造することができ、例えばホップのルプリン部に由来する抽出物を積極的に異性化することにより得ることができる。ホップのルプリン部は、ビール醸造原料として知られている。当該製造方法は、例えば特開２００５−１０４９５１号公報等に例示されている。
【０００９】
本発明に使用されるアンセリンは、公知の化合物であって、マグロ、カツオ等の回遊魚の筋肉から得られるアラニンとヒスチジンが結合したジペプチドである。なお本発明でいうアンセリンとは、アラニンとヒスチジンが結合したジペプチドを含むペプチドを包含するものとする。アンセリンは、市販されているものを利用することもでき、例えば焼津水産化学工業社製、マリンアクティブ等が挙げられる。
【００１０】
本発明における飲料組成物は、水を溶媒とし、該溶媒１０００ｍｌあたりイソフムロン類を５ｍｇ〜６０ｍｇおよびアンセリンを１０ｍｇ〜１０ｇの割合で含有するものである。イソフムロン類が５ｍｇ未満であると、添加量が少なすぎて本発明の効果を奏することができない。逆に６０ｍｇを超えると、イソフムロン類自体が発する不快味を強く感じ、好ましくない。
イソフムロン類の前記添加量は、１０ｍｇ〜４５ｍｇが好ましく、１０〜３０ｍｇがさらに好ましく、１０〜２５ｍｇがとくに好ましい。
また、本発明の飲料組成物において、アンセリンの上記添加量が１０ｍｇ未満では、アンセリンの不快臭をそもそも感じない。また、１０ｇを超えると、アンセリンの不快臭が強すぎてイソフムロン類を添加しても不快臭の低減に効果が生じない。
アンセリンの前記添加量は、１０ｍｇ〜５ｇが好ましく、２０ｍｇ〜１ｇがさらに好ましく、１００ｍｇ〜１ｇがとくに好ましい。
【００１１】
本発明の飲料組成物は、上記有効成分以外にも、一般的な各種飲料に含まれる各種成分を含有してもよいことは勿論である。また、本発明の飲料組成物はアルコール飲料であってもよい。例えば麦芽発酵飲料、例えばビール飲料が挙げられる。
本発明の飲料は上記のように溶媒である水を主成分とするものであり、そこに溶解される溶質は例えば２０質量％以下であるのが望ましい。
本発明の飲料組成物の製法はとくに制限されず、公知技術に基づき製造することができる。
【実施例】
【００１２】
以下、実施例により本発明をさらに説明するが、本発明は下記例に限定されるものではない。
【００１３】
水１０００ｍｌにマリンアクティブ１０（商品名：焼津水産化学工業株式会社製：アンセリンを１０％含む）を２５ｇ添加し、攪拌した。さらに下記表に示す割合でイソフムロン類（イソフムロン４８質量％、イソコフムロン３７質量％、イソアドフムロン１５質量％の割合を有する）を添加し、攪拌し、これらをガラス容器に充填し、キャップを施し、飲料組成物（１〜１１）とした。これら飲料組成物を６５℃の恒温槽にて１日保管後、専門パネラー５〜６名により、下記の評価基準にて不快臭（魚臭および畜肉臭）を評価した。結果を表１に示した。
【００１４】
＜官能評価の基準＞ 
不快臭を非常に感じる ：０点
不快臭をかなり感じる ：１点
不快臭を感じる ：２点
不快臭をやや感じる ：３点
不快臭を僅かに感じる ：４点
不快臭を感じない ：５点
【００１５】
【表１】
2009291216.tif 000002
【００１６】
＊１：アンセリンの不快臭は感じないが、苦味を強く感じる。
＊２：アンセリンの不快臭は感じないが、苦味を非常に強く感じる。
【００１７】
なお、上記実施例において、水の替わりに炭酸水を使用しても上記と同様の結果を得た。また、上記実施例において、水の替わりにエチルアルコールを０．１〜１０％、例えば約５％含む炭酸水を使用しても上記と同様の結果を得た。
(57)【要約】【課題】  散歩時、犬のフン処理が素早く容易に出来、歩道や公園を汚さず環境衛生にも役立ち携帯時も小型軽量で体裁が良い犬のポーチ型トイレを提供する。【解決手段】  携帯時のポーチ型から、蝶番２により取手１を伸ばし、袋取付枠４に設けたスプング５の作用で中袋１１が瞬時に開いて犬のフンを受け取ることが出来る手段と、一度の散歩中でも、その都度中袋１１の交換をしなくても済む特徴を備え、街の環境衛生にも対応出来、携帯時のポーチ型スタイルに容易に復元出来る手段を有するポーチ型トイレである。【選択図】図１
2009291201.tif 000002
【特許請求の範囲】
【請求項１】
袋取付枠４にセットした外袋６に装着した中袋１１と取手１の間に蝶番２を設け折畳める構造とし、さらに袋取付枠４にセットした外袋６に装着した中袋１１は袋取付枠４に設けたスプリング５の作用で開閉出来、携帯時には小型になりベルト吊り下げ金具８により腰のベルト等に掛けられる。以上を特徴とする犬ポーチ型トイレ。
【発明の詳細な説明】
【技術分野】
【０００１】  本発明は、犬の散歩の時小さく畳んで携帯し使用時には準備が簡単でフンが地面に落ちる前にキャッチ出来、手も汚さない犬のポーチ型トイレに関すものである。
【背景技術】
【０００２】  従来、犬のフン処理は一度地面に落ちた物を手を汚さずに拾い上げるタイプと地面に落ちる前にキャッチするタイプと二種類に分けられるが、後タイプを使用してキャッチ出来るとしても箱型だったり大きかったり長かったり持ちづらかったり、いかにもフン取器という形で体裁が悪く両手が塞がってしまう物が多かった。特許文献１参照。
【先行技術文献】
【特許文献】
【０００３】
【特許文献１】特開２００３−１２５６６７号
【発明の概要】
【発明が解決しようとする課題】
【０００４】  そのために、次のような問題点があった。
（Ａ）地面に落ちてから拾うタイプ
（イ）地面の小石や砂や異物が付いてしまう。
（ロ）ティシュ、トイレットペーパー等を多めに持ち歩るかなければならない。
（ハ）雨天時には、フンが広がって取りづらい。
（ニ）やわらかめのフンだと全部は取れない。
（ホ）フンが取れたとしても地面にどうしても少し残ってしまい不衛生。
（ヘ）地面に落ちたフンを手で取るのは、感触が悪い。
（ト）フンを拾う時には、しゃがまなくてはならない。
（Ｂ）地面に落ちる前にキャッチするタイプ
（イ）箱型で大きかったり、長かったり、持ちづらく体裁が悪い。
（ロ）フンをキャッチした後に中袋を結んで取り出すので別のバックが必要。
（ハ）フンの回数分の中袋が必要。
本発明は、これらの問題を解決するためになされたものである。
【課題を解決するための手段】
【０００５】  袋取付枠４にセットした外袋６に装着した中袋１１と取手１の間に蝶番２を設け折畳める構造とし、さらに袋取付枠４にセットした外袋６に装着した中袋１１は袋取付枠４に設けたスプリング５の作用で開閉出来、携帯時には小型になりベルト吊り下げ金具８により腰のベルト等に掛けられる。以上を特徴とする犬のポーチ型トイレである。
【発明の効果】
【０００６】  犬が使用するとき瞬時に開く為、しゃがむ事もせず対応が出来、一回の散歩時に数回使用しても中袋交換が不要で素早く対応出来る。使用後も元の携帯スタイルに直ぐ畳んで戻せ、もしフンが袋の外にはずれて落ちたとしても取手先端内臓のスティックでフンに手を汚さず中袋に入れることが出来る。犬の散歩マナー向上や散歩道の衛生問題を解決する機能がありながら携帯時、到底フン取り器には見えないポーチ型の外観である。
【図面の簡単な説明】
【０００７】
【図１】使用時の中袋装着方法図
【図２】携帯時図
【図３】使用準備動作中図
【図４】使用時図
【発明を実施するための形態】
【０００８】    以下、本発明の形態について説明する。
（イ）収縮チューブ加工のアルミ製取手１にステンレス製蝶番２を取付る。
その蝶番２の片方にクリップ付金具３を取付る。
（ロ）クリップ付金具３にスプリング５装着済みの袋取付枠４を取付る。
（ハ）スプリング５装着済みの袋取付枠４にナイロン生地の外袋６を通す。
（ニ）取手１に袋枠固定バネ金具７とベルト吊り下げ金具８を取付る。
（ホ）スティック９を取手１の先端に差し込む。
本発明は、以上の構成になっている。
【実施例】
【０００９】  これを使用するときは、外袋６の内側に中袋１１を装着する。ここで中袋１１とは外袋６と概同サイズの市販のポリ袋を示す。次に外袋６をクリップ付金具３には挟んで畳み、袋枠固定バネ金具７にセットして携帯時サイズとなる。
散歩中の使用時には取手１を持った手の指一本で袋取付枠４を押し下げると瞬時に取手１が伸び、外袋６、袋取付枠４及び中袋１１が開き、上向きに返すことでフンの受取可能な態勢になる。フン受取後は袋取付枠４を閉じて袋枠固定バネ金具７にセットし畳んで携帯サイズにしベルト等に掛ければ両手が空き犬のリードが持ち易くなる。
【符号の説明】
【００１０】    １  取手
２  蝶番
３  クリップ付金具
４  袋取付枠
５  スプリング
６  外袋
７  袋枠固定バネ金具
８  ベルト吊り下げ金具
９  スティック
１０中袋固定金具
１１中袋
【図１】
2009291201.tif 000003
【図２】
2009291201.tif 000004
【図３】
2009291201.tif 000005
【図４】
2009291201.tif 000006